(57)【要約】【課題】ラジオや携帯式の楽曲再生制御装置などの外部音源を有した外部音響機器により再生されている楽曲に基づいて、内部楽曲保存装置に保存された楽曲の再生リストを作成する新規な楽曲再生制御装置を提供することを目的としている。【解決手段】全体制御装置１０は、外部音響機器による楽曲再生時に、再生リスト作成指示が成された場合、再生中の楽曲に応じた再生リストを作成する再生リスト作成処理を実行し、この再生リスト作成処理が、再生中の楽曲を分析して特徴量を求める分析処理と、この分析処理により得られた特徴量と、前記楽曲検索用情報保存装置に保存された特徴量と、に基づいて、内部楽曲保存装置２に保存されている楽曲を選択する楽曲選択処理と、この楽曲選択処理により選択された楽曲により再生リストを作成するリスト作成処理と、を備えていることを特徴とする楽曲再生制御装置とした。【選択図】図１
2008251093.tif 000002
【特許請求の範囲】
【請求項１】
記録媒体に記録された楽曲を再生装置により再生可能に前記記録媒体を駆動するメディア駆動装置と、
再生可能な複数の楽曲データが保存された楽曲保存装置と、
楽曲の再生時に、その楽曲を評価する特徴量を算出する楽曲分析装置と、
この楽曲分析装置により得られた楽曲の特徴量と楽曲とを関連付けて保存する楽曲検索用情報保存装置と、
前記再生装置により再生可能に装置に接続され、音源を前記メディア駆動装置および内部楽曲保存装置の外部に有した外部音響機器と、
前記楽曲検索用情報装置、楽曲分析装置、再生装置、楽曲保存装置、メディア駆動装置の作動を制御する制御装置と、
を備えた楽曲再生制御装置であって、
前記制御装置は、前記楽曲保存装置に楽曲を保存するのに伴い前記楽曲分析装置により楽曲の分析を実行し、その分析で得られた特徴量を、前記楽曲保存装置に保存した楽曲と関連付けて前記楽曲検索用情報保存装置に保存する分析保存処理と、前記外部音響機器による楽曲再生時に、再生リスト作成指示が成された場合、再生中の楽曲に応じた再生リストを作成する再生リスト作成処理と、を実行し、
この再生リスト作成処理が、前記再生中の楽曲を分析して特徴量を求める分析処理と、この分析処理により得られた特徴量と、前記楽曲検索用情報保存装置に保存された特徴量と、に基づいて、前記楽曲保存装置に保存されている楽曲を選択する楽曲選択処理と、この楽曲選択処理により選択された楽曲により再生リストを作成するリスト作成処理と、を備えていることを特徴とする楽曲再生制御装置。
【請求項２】
前記制御装置は、前記再生リスト作成処理の終了後、前記再生リストに基づいて、前記内部楽曲保存装置に保存された楽曲を再生する再生処理を実行することを特徴とする請求項１に記載の楽曲再生制御装置。
【請求項３】
前記外部音響機器による楽曲再生時に、現時点から予め設定された時間だけ遡って楽曲データを一時保存する一時保存装置を備え、
前記制御装置は、前記再生リスト作成処理の実行時に、前記一時保存装置に保存されたデータにより分析を実行することを特徴とする請求項１または請求項２に記載の楽曲再生制御装置。
【請求項４】
前記外部音響機器が、無線データを受信して楽曲の再生を行うラジオ装置と、楽曲データを保存する楽曲保存部およびこの楽曲保存部に保存された楽曲データを再生する再生部を備えた外部楽曲保存装置と、外部入力端子に接続された機器と、の少なくともいずれか１つを含むことを特徴とする請求項１〜請求項３のいずれか１項に記載の楽曲再生制御装置。
【請求項５】
前記特徴量として、楽曲の振幅データの標準偏差で表された抑揚度と、楽曲の複数の周波数帯域に分割した振幅データの偏重度に相当する周波数比と、の少なくとも一方を含むことを特徴とする請求項１〜請求項４のいずれか１項に記載の楽曲再生制御装置。
【請求項６】
前記抑揚度は、あらかじめ設定され間隔ごとに、あらかじめ設定された時間だけサンプリングした振幅データを積算して設定区間のエネルギ成分を求め、さらに、求めたエネルギ成分の標準偏差から求めた値であることを特徴とする請求項５に記載の楽曲再生制御装置。
【請求項７】
前記周波数比は、楽曲の振幅データを、Ｗａｖｅｌｅｔ変換処理により複数の周波数帯域に分けて得られたパラメータの絶対値を積分し、人の声の周波数帯を挟む上下の周波数帯の積分値の比として求めた値であることを特徴とする請求項５に記載の楽曲再生制御装置。
【請求項８】
あらかじめ楽曲が有する特徴量を楽曲に関連付けして保存する保存手順と、
現在再生されている楽曲の特徴量を取得する特徴量取得手順と、
取得された特徴量に応じて、保存手順で保存された楽曲を１以上選択してこの選択した楽曲により再生リストを作成する再生リスト作成手順と、
を備えていることを特徴とする再生リスト作成方法。
【発明の詳細な説明】
【技術分野】
【０００１】
本発明は、楽曲の再生リストを作成する技術に関し、特に、楽曲の特徴量を取得して再生リストを作成する技術に関する。
【背景技術】
【０００２】
近年の楽曲再生制御装置は、ハードディスクドライブやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるようになっている。
【０００３】
そこで、このような大量の楽曲を再生する際の、楽曲の選択が問題となる。
従来、多数の楽曲の選択手法として、ツリー状に表現して選択する手法がよく知られている。これは、記憶媒体の種類、フォルダ、ファイルというように、徐々に絞り込んで選択する手法である。
しかしながら、大容量の記憶媒体に楽曲を保存した場合、これをツリーで表示しようとすると、同一の階層に多数のメニュー項目が存在することになる。例えば、１つの記憶媒体に５００フォルダ３０００曲を保存した場合、フォルダを示すメニュー項目として５００項目が存在することになり、なかなか目的の楽曲（ファイル）に到達することができない。
【０００４】
そこで、種々の条件に基づいて再生リストを自動的に作成することが提案されている（特許文献１参照）。
また、ラジオで現在再生している楽曲のコンテンツを取得し、そのアーティスト名やジャンルなどを表示し、これに応じて、内部楽曲保存装置に保存されている楽曲の検索を可能とした技術も提案されている（特許文献２参照）。
【特許文献１】特開２００６−３１８５４６号公報
【特許文献２】特開２００５−１１６０６８号公報
【発明の開示】
【発明が解決しようとする課題】
【０００５】
しかしながら、上述の従来技術では、ラジオで再生している楽曲のコンテンツは取得できても、アーティスト名やジャンルなどの得られた情報に基づいて、ユーザが検索する必要があり、実際に走行中にこれらの操作を行うのは難しい。
また、そのアーティストの楽曲が装置に保存されていない場合、その楽曲に類似した楽曲に辿り着くのが難しい。
【０００６】
本発明は、上述の従来の問題点に着目して成されたもので、ラジオや携帯式の楽曲再生制御装置などの外部音源を有した外部音響機器により再生されている楽曲に基づいて、内部楽曲保存装置に保存された楽曲の再生リストを作成する新規な楽曲再生制御装置および再生リスト作成方法を提供することを目的としている。
【課題を解決するための手段】
【０００７】
上述の目的を達成するため請求項１に記載の発明は、記録媒体に記録された楽曲を再生装置により再生可能に前記記録媒体を駆動するメディア駆動装置と、再生可能な複数の楽曲データが保存された楽曲保存装置と、楽曲の再生時に、その楽曲を評価する特徴量を算出する楽曲分析装置と、この楽曲分析装置により得られた楽曲の特徴量と楽曲とを関連付けて保存する楽曲検索用情報保存装置と、前記再生装置により再生可能に装置に接続され、音源を前記メディア駆動装置および内部楽曲保存装置の外部に有した外部音響機器と、前記楽曲検索用情報装置、楽曲分析装置、再生装置、楽曲保存装置、メディア駆動装置の作動を制御する制御装置と、を備えた楽曲再生制御装置であって、前記制御装置は、前記楽曲保存装置に楽曲を保存するのに伴い前記楽曲分析装置により楽曲の分析を実行し、その分析で得られた特徴量を、前記楽曲保存装置に保存した楽曲と関連付けて前記楽曲検索用情報保存装置に保存する分析保存処理と、前記外部音響機器による楽曲再生時に、再生リスト作成指示が成された場合、再生中の楽曲に応じた再生リストを作成する再生リスト作成処理と、を実行し、この再生リスト作成処理が、前記再生中の楽曲を分析して特徴量を求める分析処理と、この分析処理により得られた特徴量と、前記楽曲検索用情報保存装置に保存された特徴量と、に基づいて、前記楽曲保存装置に保存されている楽曲を選択する楽曲選択処理と、この楽曲選択処理により選択された楽曲により再生リストを作成するリスト作成処理と、を備えていることを特徴とする楽曲再生制御装置である。
【０００８】
また、請求項２に記載の発明は、請求項１に記載の楽曲再生制御装置において、前記制御装置は、前記再生リスト作成処理の終了後、前記再生リストに基づいて、前記内部楽曲保存装置に保存された楽曲を再生する再生処理を実行することを特徴とする楽曲再生制御装置である。
【０００９】
請求項３に記載の発明は、請求項１または請求項２に記載の楽曲再生制御装置において、前記外部音響機器による楽曲再生時に、現時点から予め設定された時間だけ遡って楽曲データを一時保存する一時保存装置を備え、前記制御装置は、前記再生リスト作成処理の実行時に、前記一時保存装置に保存されたデータにより分析を実行することを特徴とする楽曲再生制御装置である。
【００１０】
請求項４に記載の発明は、請求項１〜請求項３のいずれか１項に記載の楽曲再生制御装置において、前記外部音響機器が、無線データを受信して楽曲の再生を行うラジオ装置と、楽曲データを保存する楽曲保存部およびこの楽曲保存部に保存された楽曲データを再生する再生部を備えた外部楽曲保存装置と、外部入力端子に接続された機器と、の少なくともいずれか１つを含むことを特徴とする楽曲再生制御装置である。
【００１１】
請求項５に記載の発明は、請求項１〜請求項４のいずれか１項に記載の楽曲再生制御装置において、前記特徴量として、楽曲の振幅データの標準偏差で表された抑揚度と、楽曲の複数の周波数帯域に分割した振幅データの偏重度に相当する周波数比と、の少なくとも一方を含むことを特徴とする楽曲再生制御装置である。
【００１２】
請求項６に記載の発明は、請求項５に記載の楽曲再生制御装置において、前記抑揚度は、あらかじめ設定され間隔ごとに、あらかじめ設定された時間だけサンプリングした振幅データを積算して設定区間のエネルギ成分を求め、さらに、求めたエネルギ成分の標準偏差から求めた値であることを特徴とする楽曲再生制御装置である。
【００１３】
請求項７に記載の発明は、請求項５に記載の楽曲再生制御装置において、前記周波数比は、楽曲の振幅データを、Ｗａｖｅｌｅｔ変換処理により複数の周波数帯域に分けて得られたパラメータの絶対値を積分し、人の声の周波数帯を挟む上下の周波数帯の積分値の比として求めた値であることを特徴とする楽曲再生制御装置である。
【００１４】
請求項８に記載の発明は、あらかじめ楽曲が有する特徴量を楽曲に関連付けして保存する保存手順と、現在再生されている楽曲の特徴量を取得する特徴量取得手順と、取得された特徴量に応じて、保存手順で保存された楽曲を１以上選択してこの選択した楽曲により再生リストを作成する再生リスト作成手順と、を備えていることを特徴とする再生リスト作成方法である。
【発明の効果】
【００１５】
請求項１に記載の発明では、メディア駆動装置で駆動される記憶媒体に保存されている楽曲などを楽曲保存装置に保存する際に、制御装置は、分析保存処理を実行し、楽曲の分析を実行し、得られた特徴量を、楽曲保存装置に保存した楽曲に関連付けて、楽曲検索用情報保存装置に保存する。
【００１６】
そして、ラジオ装置などのような外部音響機器による楽曲再生時に、再生リスト作成指示が成された場合、再生中の楽曲に応じた再生リストを作成する再生リスト作成処理を実行する。
【００１７】
この再生リスト作成処理では、まず、現在再生中の楽曲を分析して特徴量を取得し（分析処理）、次に、取得した再生中の楽曲の特徴量と、楽曲検索用情報保存装置に保存された特徴量と、の比較に基づいて楽曲を選択し（楽曲選択処理）、次に、この選択された楽曲により再生リストを作成する（リスト作成処理）。
【００１８】
以上のように、本発明では、楽曲再生制御装置内に音源が存在しない楽曲の特徴量に基づいて再生リストが作成されるため、例えば、同じアーティストの楽曲が保存されていなかったり、ユーザがジャンル名を把握していなかったりしても、ユーザが、検索操作を実行することなしに、内部楽曲保存装置に保存された楽曲の再生リストが、再生中の特徴量に基づいて作成される。
【００１９】
さらに、請求項２に記載の発明では、制御装置は、再生リスト作成処理の終了後、再生処理を実行して、再生リストに基づいて、保存された楽曲を再生する。
このように、自動的に楽曲の再生が実行されるため、さらに使い勝手に優れる。
【００２０】
請求項３に記載の発明では、外部音響機器による楽曲再生時に、現時点から予め設定された時間だけ遡って楽曲データを一時保存する一時保存装置を備えており、再生中の楽曲の楽曲データが常時保存されている。
したがって、制御装置は、再生リスト作成処理の実行時には、一時保存装置に保存されたデータにより即座に分析を実行することができる。
【００２１】
請求項４に記載の発明では、ラジオ装置で再生中の楽曲を分析し、その特徴量から再生リストを作成することと、外部楽曲保存装置を接続し、この外部楽曲保存装置の楽曲保存部に保存された楽曲の再生時に、その楽曲を分析し、その特徴量から再生リストを作成することと、外部入力端子に接続された機器を用いて楽曲を再生中に、その楽曲を分析し、その特徴量から再生リストを作成することと、の少なくともいずれか１つを実行することができる。
【００２２】
さらに、請求項５に記載の発明では、楽曲分析装置は、特徴量として、楽曲の振幅データの標準偏差で表された抑揚度と、楽曲の複数の周波数帯域に分割した振幅データの偏重度に相当する周波数比と、の少なくとも一方を求める。
抑揚度は、楽曲のパワーあるいはビートの強さに対応しており、具体的には、クラシック、ジャズ、レゲエなどのようなジャンル違いによってある程度一定の値を示す傾向（具体的には、クラシックのようなビートの弱い曲は低い値となり、逆にレゲエ、ラップのようなビートの強い曲は高い値となる傾向）にあることから、楽曲の特徴を表すことができる。
一方、周波数比は、楽曲の音バランスの程度に対応しており、具体的には、クラシック、ポップ、ロックなどのようなジャンルの違いによってある程度一定の値を示す傾向（具体的には、クラシックやイージリスニングのような静かな曲は低い値となり、ロックやパンクのような激しい曲は高い値となる傾向）にあることから、楽曲の特徴を表すことができる。
【００２３】
この抑揚度および周波数比は、いずれも単純な演算で求められる統計値であり、パラメータを絞り込むための再帰的な処理や判定などの処理が不要であり、処理内容が簡易で軽量である。
したがって、楽曲の全体から特徴量を得ることができ、部分的に特徴量を得た場合のように、分析部分による特徴量が異なる不具合を防止できることができ、かつ、処理容量の小さな機器でも処理可能となる。
【００２４】
また、抑揚度、周波数比は、曲調に対応しているため、再生リスト作成処理において、これらに基づいて楽曲の選択を行うことで、主観的な言葉を用いること無しに、ユーザの嗜好に応じた楽曲を選択することが可能となる。
【００２５】
さらに、請求項６に記載の発明では、抑揚度を求めるのにあたり、振幅データを、あらかじめ設定された間隔ごとに、あらかじめ設定した時間だけサンプリングを行うため、曲全体を継続的にサンプリングを行うのに比べて、サンプリングデータ数を減らして、処理の簡便化を図りながらも、曲全体の抑揚度を得ることが可能となる。
また、サンプリングした振幅データは、積算して設定区間のエネルギ成分を求めるようにしたため、楽曲の曲調を表すビートの強さを、特徴量として得ることが可能となる。
【００２６】
また、請求項７に記載の発明では、周波数比を求めるのにあたり、Ｗａｖｅｌｅｔ変換処理により複数の周波数帯域に分けて得られたパラメータの絶対値を積分した値を用いるようにしたため、二乗により得られた値が示すエネルギ成分とは異なる、各周波数帯域の力強さを示す、従来に無い新規な特徴量が得られる。
しかも、この積分値に基づいて、人の声の周波数帯を挟む上下の周波数帯の積分値の比として求めた値を周波数比とすることで、人の声を中心として、それよりも上の周波数帯域の力強さと、それよりも下の周波数帯域の力強さと、のバランスで楽曲の曲調を評価する新規な特徴量を提供できる。
具体的には、このような周波数の上下の比率は、低音と高音とが略均等に含まれたクラシックやジャズやイージリスニングなどと、それよりも声や高音が多く含まれたポップスなどと、さらに曲全体に高音要素が多いロックやＲ＆Ｂなどと、の曲調を区別することができる。
【００２７】
請求項８に記載の発明では、現在再生されている楽曲の特徴量を取得し（特徴量取得手順）、この取得した特徴量に応じ、保存手順で保存された楽曲を１以上選択してこの選択した楽曲により再生リストを作成する（再生リスト作成手順）。
このように、本発明では、再生中の楽曲の特徴量に基づいて、保存された楽曲で再生リストを作成する新規な再生リスト作成方法を提供することができる。
【発明を実施するための最良の形態】
【００２８】
以下、本発明の楽曲再生制御装置の実施の形態を説明する。
実施の形態の楽曲再生制御装置は、記録媒体（１ａ）に記録された楽曲を再生装置（４）により再生可能に前記記録媒体（１ａ）を駆動するメディア駆動装置（１）と、再生可能な複数の楽曲データが保存された楽曲保存装置（２）と、楽曲の再生時に、その楽曲を評価する特徴量を算出する楽曲分析装置（７）と、この楽曲分析装置（７）により得られた楽曲の特徴量と、楽曲とを関連付けて保存する楽曲検索用情報保存装置（３）と、前記再生装置（４）により再生可能に装置に接続され、音源を前記メディア駆動装置（１）および楽曲保存装置（２）の外部に有した外部音響機器（１２，１３，１４）と、この楽曲検索用情報装置（３）、楽曲分析装置（７）、再生装置（４）、楽曲保存装置（２）、メディア駆動装置（１）の作動を制御する制御装置（１０）と、を備えた楽曲再生制御装置であって、前記制御装置（１０）は、前記楽曲保存装置（２）に楽曲を保存するのに伴い前記楽曲分析装置（７）により楽曲の分析を実行し、その分析で得られた特徴量を、前記楽曲保存装置（２）に保存した楽曲と関連付けて前記楽曲検索用情報保存装置（３）に保存する分析保存処理と、前記外部音響機器（１２，１３，１４）による楽曲再生時に、再生リスト作成指示が成された場合、再生中の楽曲に応じた再生リストを作成する再生リスト作成処理と、を実行し、この再生リスト作成処理が、前記再生中の楽曲を分析して特徴量を求める分析処理と、この分析処理により得られた特徴量と、前記楽曲検索用情報保存装置（３）に保存された特徴量と、に基づいて、前記楽曲保存装置（２）に保存されている楽曲を選択する楽曲選択処理と、この楽曲選択処理により選択された楽曲により再生リストを作成するリスト作成処理と、を備えていることを特徴とする楽曲再生制御装置である。
【実施例１】
【００２９】
図１〜図１０に基づいて本発明の最良の実施の形態として実施例１の楽曲再生制御装置Ａについて説明する。
【００３０】
まず、実施例１の楽曲再生制御装置Ａの構成を説明する。
この実施例１の楽曲再生制御装置Ａは、車載されたもので、図１に示すように、メディア駆動装置１、内部楽曲保存装置２、楽曲検索用情報保存装置３、再生装置４、スピーカ装置５、リスト情報保存装置６、楽曲分析装置７、ユーザインタフェース装置８、ディスプレイ装置９、全体制御装置１０、一時保存装置１１、ラジオ装置１２を備えている。
また、実施例１の楽曲再生制御装置Ａは、外部楽曲保存装置１３が接続可能となっており、また、マイク１４などの外部機器を接続するための外部入力端子１５を備えている。
【００３１】
メディア駆動装置１は、車両外から持ち込んだ記憶媒体（ＣＤ（Compact Discの略である）、ＭＤ（Mini Discの略）、ＤＶＤ（Digital Versatile Disc））などを駆動すると同時に、それらの記憶媒体に保存された楽曲データを再生することができる情報に変換する機能を有している。なお、保存時には、楽曲の音響情報をアナログディジタル変化したＰＣＭデータで保存する場合もあるが、本実施例１では、保存量を増やすために圧縮して保存しているものとする。また、それぞれの楽曲に付加的に加えられている各種情報（例えば、タイトル名やアーティスト名、ジャンルなどを持ったＴＡＧなど）が存在する場合には、これらの情報は、メタデータとして、楽曲検索用情報保存装置３に保存する。
【００３２】
内部楽曲保存装置２は、書き換え可能な磁気記憶媒体であるハードディスクドライブ（Hard disk drive）やフラッシュメモリなどで構成されており、メディア駆動装置１において再生される外部記憶媒体に保存された楽曲データを、圧縮して保存することが可能となっている。
また、この内部楽曲保存装置２に保存された楽曲データは、全体制御装置１０による制御に基づいて、再生装置４により再生可能となっている。
【００３３】
再生装置４は、全体制御装置１０の指示に従い、内部楽曲保存装置２に保存されている楽曲データ、およびメディア駆動装置１で駆動される外部記憶装置（図示省略）に記憶されている楽曲データを取得し、その楽曲データを再生する。なお、楽曲データが圧縮されている場合には、それぞれの圧縮方法に準拠した方法にて圧縮を解除（デコード）しＰＣＭデータとして出力する機能を持っている。
【００３４】
楽曲検索用情報保存装置３は、それぞれの楽曲データに付加された情報と、楽曲分析装置７によって分析された結果と、が関連付けられて保存されている。
なお、全体制御装置１０では、楽曲再生時に、同時に、その楽曲に付加された情報を出力する。また、検索のために、特定の検索条件情報が与えられた場合には、その検索情報に相当する、楽曲、もしくは、楽曲のリスト一覧に相当する情報（楽曲情報とその保存先の一覧）を出力する。ここで検索条件に一致した楽曲一覧情報が得られた場合には、リスト情報保存装置６に一覧リスト情報として保存される。また、楽曲分析装置７の出力データに関しては、特定の分析値に対して検索条件が与えられた場合には、その特定の分析データに対応する、データに対して近い分析データを持った楽曲の一覧に相当する情報を全体制御装置１０に出力する機能を持っている。
【００３５】
楽曲分析装置７は、楽曲のＰＣＭデータを分析して、楽曲を代表する特徴量数値情報を決定する装置である。
楽曲の分析は、例えば、内部楽曲保存装置２に楽曲が保存されるときに、楽曲ごとにおこなわれるもので、その詳細については後述する。
【００３６】
リスト情報保存装置６は、ユーザが作成した再生リスト、もしくはユーザの指示に従って楽曲検索用情報保存装置３のデータに基づいて自動作成した再生リスト（これについては後述する）の情報を保存する機能を持っている。
【００３７】
ユーザインタフェース装置８は、ユーザとのインタフェースを果たす役割を持っており、本実施例１では、ディスプレイ装置９が有するタッチパネル機能を用いて、ユーザへの視覚情報の提示と、選択の手段を与えるものである。例えば、楽曲の再生リストを提示する場合には、そのリストに対応したボタンを表示し、そのボタンが選択されたときに、全体制御装置に対して該当するリストが選択されたことを通知する。
【００３８】
一時保存装置１１は、外部音響機器を用いて楽曲の再生が行われている際に、そのＰＣＭデータを、常に、予め設定された時間（例えば、数１０秒であり、本実施例１では、２０秒とする）前に遡って保存する装置である。
ここで、外部音響機器とは、実施例１の楽曲再生制御装置Ａの外部の音源により楽曲を再生するものであり、本実施例１では、ラジオ装置１２、外部楽曲保存装置１３、マイク１４がこれに相当し、これらは、音源を実施例１の楽曲再生制御装置Ａの外部に有しながらも、再生装置４を用いて実施例１の楽曲再生制御装置Ａにより楽曲の再生を実行する。
【００３９】
なお、外部楽曲保存装置１３は、例えば、携帯式の楽曲再生制御装置であって、楽曲データを保存する楽曲保存部（図示省略）と、この楽曲保存部に保存された楽曲データを再生する再生部（図示省略）と、を備えた装置である。そして、楽曲再生制御装置Ａに接続した際には、外部楽曲保存装置１３がホスト機能を有していないため、楽曲再生制御装置Ａからは、属性情報を用いた検索対象から外れており、記録媒体１ａと同等の関係にある。
【００４０】
全体制御装置１０は、上記の各装置１〜７の作動を制御すると同時に、ユーザインタフェース装置８を介したユーザの操作を実現する機能を持っている。
【００４１】
次に、楽曲分析装置７について説明する。
この楽曲分析装置７で算出される特徴量として、本実施例１では、楽曲の１曲全体における振幅分布状況を表す統計量で定義される抑揚度Ｙと、楽曲の１曲の全体における周波数分布の比率で定義される周波数比Ｗとの２つを用いる。
【００４２】
抑揚度Ｙは、簡単に説明すると、楽曲の振幅データの変動具合を、それを統計量である分散（標準偏差）によって表現したもので、以下の手順で求める。
まず、下記の式（１）を用いて、楽曲の１秒ごとの、楽曲のＰＣＭデータの片チャネルもしくは両チャネルの振幅データＡ（ｎ）について、ｔ１時間のパワー平均値Ｙａ（ｎｎ）を求める。なお、ｎは、総サンプリング数Ｎの０〜Ｎである。
例えば、ＰＣＭデータは、44.1KHzサンプリングであることから、１秒間に44100個のサンプリングデータが取得されることになり、このデータに対して、ｔ１時間に相当するサンプリング数ｎ１個のデータに対してパワー平均値を求める。
なお、ｔ１は、例えば、１０ｍｓｅｃであり、その場合、４４１個のサンプリングデータとなるが、このｔ１は、要は、サンプリング数を減らすための値であり、１秒よりも短い時間であれば、１０ｍｓｅｃに限定されるものではない。
Ｙａ(nn)＝（Σ（（A(n)2））１／２）／n1    ・・・（１）
ここで、nn=0  〜  Int(N/n1)−１であり、Int(P)は、小数点以下切捨てを示している。
また、Σは、n1×nn〜n1×（nn+1）-1  までの積分を表している。
【００４３】
次に、Ya(nn)において、０〜n2-1までの分散σ２を下記式（２）と定義する。
Yb（nnn）=σ2＝分散（Y(nnn×n2)  〜Y((nnn+1)×n2-1)）  ・・・（２）
さらに、その平均Yc（nnn）を下記式（３）により得る。
Yc（nnn）＝平均（Y(nnn×n2)  〜  Y((nnn+1)×n2-1)）    ・・・（３）
ここで、nnn＝0 〜Int(Int(N/n1)/n2)-1＝０〜nnnn-1  である。
【００４４】
以上のデータを用いて、抑揚度Ｙは、下記の式（４）と定義する。
Y＝Σ（Yb(nnn)/Yc(nnn)）/nnnn          ・・・（４）
ここで、Σは、0からnnnn-1までの積分を表している。
【００４５】
以上から、抑揚度Ｙは、上記の様な手順とパラメータを用いて、楽曲全体に亘って１秒ごとにｔ１時間で平均化された振幅データの変動具合を取得し、それを統計量である分散（標準偏差）によって表現したものとなる。ここで、あらかじめ適当なｔ１（ｎ１およびｎ２）を選択することによって、一定の楽曲の特徴を示すパラメータを定義することができる。
【００４６】
図２は、ある楽曲の抑揚度Ｙを求めた例を示している。この図において、（Ｐ）は振幅の時間変化状況を示し、（Ｙ）は抑揚度Ｙを構成するパラメータＹｂの時間変化状況を示している。この図から分かるように、振幅Ｐが楽曲の全体で上下しているのに対し、パラメータＹｂは、楽曲の全体に亘って、略一定の傾向を有している。そこで、その分散で得られた抑揚度Ｙは、楽曲全体に亘り、さらに一定の傾向を有している。
【００４７】
図３は、楽曲のジャンルと、抑揚度Ｙとの関係を示す特性図であり、この図に示す数値は、そのジャンルの楽曲の抑揚度Ｙの平均値を示しており、この図に示すように、ジャンルによって抑揚度Ｙが相違しているのが判る。なお、一部のジャンルでは、抑揚度Ｙが近似しているものも在る。
【００４８】
次に、周波数比Ｗについて説明する。
この周波数比Ｗは、細分化した周波数帯ごとの、周波数データの積分したエネルギ成分（パワー）の偏重度を求めたものである。
【００４９】
具体的には、 ＰＣＭデータの片チャネルもしくは両チャネルの振幅データＡ（ｎ）に対し、以下の処理を行って求める。ここでは、簡略化のために、Ａ（ｎ）は楽曲全体に亘る片チャネルのみのデータの配列とする。算出に使用するパラメータは、振幅データＡ（ｎ）に対するＷａｖｅｌｅｔ変換処理によって求めることができるパラメータを用いて算出する。１例として各処理において４つずつのパラメータを使用するＷａｖｅｌｅｔ変換においての例を示す。
【００５０】
この処理は、下記の式（５）〜式（２０）の処理を実行することで、図４に示すような振幅データを、８つの周波数帯域に分割し、それぞれの周波数帯域のパラメータＧ０（ｎ）〜Ｇ７（ｎ）を得る。なお、図４に示すように、Ｇ０（ｎ）とＨ０（ｎ）は、全周波数域を２分した各周波数帯域で得られたパラメータであり、Ｇ１（ｎ）とＨ１（ｎ）は、Ｈ０（ｎ）の周波数帯を２分した周波数帯域で得られたパラメータであり、Ｇ２（ｎ）とＨ２（ｎ）は、Ｈ１（ｎ）の周波数帯を２分した周波数帯域で得られたパラメータである。このように、段階的に２分していくことで、Ｇ０（ｎ）〜Ｇ７（ｎ）は、ほぼ全周波周波数域をカバーしたパラメータとなる。
H0(n)=A(n×2)×h0+A(n×2+1)×h1+A(n×2+2)×h2+A(n×2+3)×h3  ・・・（５）
G0(n)=A(n×2)×g0+A(n×2+1)×g1+A(n×2+2)×g2+A(n×2+3)×g3  ・・・（６）
ここで、０＜ｎ＜Ｎ０であり、また、Ｎ０は、n×2≦N-1-4 を満たす最大のｎである。
H1(n)=H0(n×2)×h0+H0(n×2+1)×h1+H0(n×2+2)×h2+H0(n×2+3)×h3  ・・・（７）
G1(n)=H0(n×2)×g0+H0(n×2+1)×g1+H0(n×2+2)×g2+H0(n×2+3)×g3  ・・・（８）
ここで、０＜ｎ＜Ｎ１であり、Ｎ１は、n×4≦N-1-4を満たす最大のｎである。
H2(n)=H1(n×2)×h0+H1(n×2+1)×h1+H1(n×2+2)×h2+H1(n×2+3)×h3  ・・・（９）
G2(n)=H1(n×2)×g0+H1(n×2+1)×g1+H1(n×2+2)×g2+H1(n×2+3)×g3  ・・・（１０）
ここで、０＜ｎ＜Ｎ２であり、Ｎ２は、n×8≦N-1-4を満たす最大のｎである。
H3(n)=H2(n×2)×h0+H2(n×2+1)×h1+H2(n×2+2)×h2+H2(n×2+3)×h3  ・・・（１１）
G3(n)=H2(n×2)×g0+H2(n×2+1)×g1+H2(n×2+2)×g2+H2(n×2+3)×g3  ・・・（１２）
ここで、０＜ｎ＜Ｎ３であり、Ｎ３は、n×16≦N-1-4を満たす最大のｎである。
H4(n)=H3(n×2)×h0+H3(n×2+1)×h1+H3(n×2+2)×h2+H3(n×2+3)×h3   ・・・（１３）
G4(n)=H3(n×2)×g0+H3(n×2+1)×g1+H3(n×2+2)×g2+H3(n×2+3)×g3  ・・・（１４）
ここで、０＜ｎ＜Ｎ４であり、Ｎ４は、n×32≦N-1-4を満たす最大のｎである。
H5(n)=H4(n×2)×h0+H4(n×2+1)×h1+H4(n×2+2)×h2+H4(n×2+3)×h3  ・・・（１５）
G5(n)=H4(n×2)×g0+H4(n×2+1)×g1+H4(n×2+2)×g2+H4(n×2+3)×g3  ・・・（１６）
ここで、０＜ｎ＜Ｎ５であり、Ｎ５は、n×64≦N-1-4を満たす最大のｎである。
H6(n)=H5(n×2)×h0+H5(n×2+1)×h1+H5(n×2+2)×h2+H5(n×2+3)×h3  ・・・（１７）
G6(n)=H5(n×2)×g0+H5(n×2+1)×g1+H5(n×2+2)×g2+H5(n×2+3)×g3  ・・・（１８）
ここで、０＜ｎ＜Ｎ６であり、Ｎ６は、n×64≦N-1-4を満たす最大のｎである。
H7(n)=H6(n×2)×h0+H6(n×2+1)×h1+H6(n×2+2)×h2+H6(n×2+3)×h3  ・・・（１９）
G7(n)=H6(n×2)×g0+H6(n×2+1)×g1+H6(n×2+2)×g2+H6(n×2+3)×g3  ・・・（２０）
ここで、０＜ｎ＜Ｎ７であり、Ｎ７は、n×64≦N-1-4を満たす最大のｎである。
【００５１】
これらのWavelet変換を用いて求めた、各帯域のパラメータに対して、以下の式（２１）〜式（２８）の積分処理を行う。
Sum0=Σ（｜G(n)｜）    ・・・（２１）
なお、０＜ｎ＜Ｎ０である。
Sum１=Σ（｜G(n)｜）    ・・・（２２）
なお、０＜ｎ＜Ｎ１である。
Sum２=Σ（｜G(n)｜）    ・・・（２３）
なお、０＜ｎ＜Ｎ２である。
Sum３=Σ（｜G(n)｜）    ・・・（２４）
なお、０＜ｎ＜Ｎ３である。
Sum４=Σ（｜G(n)｜）    ・・・（２５）
なお、０＜ｎ＜Ｎ４である。
Sum５=Σ（｜G(n)｜）    ・・・（２６）
なお、０＜ｎ＜Ｎ５である。
Sum６=Σ（｜G(n)｜）    ・・・（２７）
なお、０＜ｎ＜Ｎ６である。
Sum７=Σ（｜G(n)｜）    ・・・（２８）
なお、０＜ｎ＜Ｎ７である。
【００５２】
さらに、こうして得られたデータに対して、周波数比を以下の式（２９）により求める。
Ｗ（ｘ）＝ＳｕｍＸ／ＳｕｍＹ    ・・・（２９）
なお、Ｓｕｍ＝Σ（Ｓｕｍ０〜Ｘ）であり、すなわち、Ｓｕｍ０からＳｕｍＸまでの積分値であり、かつ、本実施例１では、Ｘ＝３としている。
また、ＳｕｍＹ＝Σ（Ｘ＋１〜７）であり、すなわち、ＳｕｍＸ＋１からＳｕｍ７までの和である。
【００５３】
また、上記Ｘ＝３は、人の声の周波数帯を含む帯域であり、上記の周波数比Ｗは、人の声の周波数帯域を中心として、それよりも上の周波数の積分値と、それよりも下の周波数積分値の比率である。
【００５４】
以上のように、周波数比Ｗは、上記の様な手順とパラメータを用いて、振幅データの周波数成分を取得し、式（２１）〜（２９）で処理することにより、周波数成分の偏重度を数値化したものである。
そして、上記式（５）〜（２８）は、データに対して順次処理を行うことができ、再帰的な処理を必要としないために、演算負荷を上げずに容易に算出可能である。
【００５５】
図５は、楽曲のジャンルと周波数比Ｗとの関係を示す特性図であり、この図に示す数値は、そのジャンルの楽曲の周波数比Ｗの平均値を示しており、ジャンルによって周波数比Ｗが相違する傾向にあり、かつ、一部のジャンルでは、周波数比Ｗが一致している。
【００５６】
そこで、図６に示すように、抑揚度Ｙを横軸、周波数比Ｗを縦軸にとり、ジャンル分けすると、大まかに図示のように分類される。このように、抑揚度Ｙでは、近似していたＲ＆Ｂとジャズは、周波数比Ｗが大きく異なるため、図６のＹ−Ｗ平面では、異なる領域に配置される。同様に、周波数比Ｗが一致していたレゲエとＲ＆Ｂは、抑揚度Ｙで差異があることから、図６のＹ−Ｗ平面では、異なる領域に配置される。
【００５７】
以上のように、抑揚度Ｙおよび周波数比Ｗを用いて、ジャンルをある程度絞り、曲調を分析できるのが分かる。
【００５８】
次に、図７のフローチャートに基づいて、分析処理の流れ説明する。
本実施例１では、この分析処理は、あらかじめ、内部楽曲保存装置２への録音が指示された状態で、メディア駆動装置１に、ＣＤなどの録音対象の楽曲データを有したメディアが挿入されると開始される。
【００５９】
このようにメディアが挿入されると、全体制御装置１０は、このメディアからＰＣＭデータのリッピングを開始するとともに、再生装置４に、楽曲データ（ＰＣＭデータ）を送り再生する（ステップＳ１）。
【００６０】
次に、全体制御装置１０は、内部楽曲保存装置２への楽曲の保存（録音）ならびに楽曲分析装置７における抑揚度Ｙと周波数比Ｗとの算出（分析）の開始を指示する（ステップＳ２）。
そして、全体制御装置１０では、上記の再生と同時に、楽曲データの圧縮処理を行い、内部楽曲保存装置２に逐次保存し（ステップＳ４）、かつ、これと並列に、楽曲分析装置７に対してＰＣＭデータを送付して分析処理を実行させる（ステップＳ５）。
なお、この圧縮保存および分析は、この楽曲データの全てのデータについて処理を行うまで実行される（ステップＳ３）。
また、圧縮処理および分析処理は、再生速度のＮ倍速で行うようにしてもよい。
【００６１】
メディア駆動装置１から１曲目の再生が終了したことの連絡を受けると、ステップＳ３においてＮＯ判定が成され、全体制御装置１０は、圧縮処理を終了し、内部楽曲保存装置２に楽曲データをファイルとして保存する。同時に楽曲分析装置７に対して、楽曲データの終了を通知することにより、抑揚度Ｙならびに周波数比Ｗの算出を終了し、これら抑揚度Ｙならびに周波数比Ｗを確定する（ステップＳ６）。
【００６２】
そして、全体制御装置１０は、楽曲検索用情報保存装置３に対して楽曲データの属性情報とともに楽曲分析装置７から取得した抑揚度Ｙならびに周波数比Ｗを関連付けて保存する（ステップＳ７）。なお、楽曲検索用情報保存装置３に保存される情報は、前述の楽曲パラメータ（抑揚度Ｙ、周波数比Ｗ）や属性情報とともに、一般的な情報である、録音時期、再生回数、ユーザ評価値などと同列に保存することが可能である。
【００６３】
次に、メディア駆動装置１において引き続き再生可能な楽曲の存在の有無を確認し、楽曲が存在する場合には、次の楽曲についてステップＳ１からの処理を継続し、楽曲が存在しない場合には、分析処理を終了する（ステップＳ８）。
【００６４】
次に、楽曲検索用情報保存装置３を用いた楽曲検索方法の一例を説明する。
ディスプレイ装置９では、図８に示すように、横軸に抑揚度Ｙ、縦軸に周波数比Ｗを取った画面９１に、楽曲ごとに、その楽曲が有する抑揚度Ｙおよび周波数比Ｗに対応させてプロット表示する。また、ディスプレイ装置９は、前述のようにタッチパネル機能を有しており、画面９１の特定の部分を選択すると、その選択した位置の楽曲が再生される。この場合、選択した位置に最も近い位置の楽曲を再生することも可能であるが、本実施例１では、この選択位置に近い楽曲が複数選択され順に再生される。
【００６５】
この場合、選択位置をＹ０、Ｗ０とした場合、
Ｙ０−０．１＜Ｙ０＜Ｙ０＋０．１
Ｗ０―０．１＜Ｗ０＜Ｗ０＋０．１
の範囲に含まれる値を有した楽曲を選択し、（Ｙ０，Ｗ０）に近い座標のものから順に再生する。
【００６６】
次に、図９のフローチャートに基づいて、外部音響機器により再生されている楽曲の分析を行って、この分析結果に基づいて再生リストを作成する再生リスト作成処理の流れについて説明する。この外部音響機器により再生されている楽曲の分析の場合には、一時保存装置１１に保存されている、現時点から２０秒分遡ったＰＣＭデータを用いて、楽曲パラメータを演算する。
【００６７】
なお、外部音響機器は、前述したように、本実施例１では、ラジオ装置１２、外部楽曲保存装置１３および外部入力端子１５に接続されたマイク１４などの音響機器である。
【００６８】
この分析処理は、ディスプレイ装置９を用いた指示操作により開始される。
この場合、まず、一時保存装置１１から２０秒分のＰＣＭデータを読み込み（ステップＳ１０１）、このＰＣＭデータを用いて分析処理を実行する（ステップＳ１０２）。なお、この分析処理は、前述したステップＳ５と同様に、抑揚度Ｙならびに周波数比Ｗを演算する処理であって、相違点は、ステップＳ５では、楽曲の全体に亘って処理を行っていたのに対し、本処理が、２０秒分のＰＣＭデータを用いて行う点のみである。
【００６９】
一時保存装置１１のＰＣＭデータは、随時最新のものに更新されており、上述の読み込みおよび分析は、ディスプレイ装置９を用いて分析の終了が指示されるまで、随時最新の２０秒分のＰＣＭデータを用いた分析が繰り返し実行される（ステップＳ１０３）。
【００７０】
そして、終了指示が行われると最新の抑揚度Ｙと周波数比Ｗとが、楽曲分析装置７から全体制御装置１０へ出力される（ステップＳ１０４）。
【００７１】
そこで、全体制御装置１０は、楽曲検索用情報保存装置３内の楽曲パラメータを用いて検索を行い（ステップＳ１０５）、楽曲パラメータが、ステップＳ１０４で得られた値に類似している楽曲を選択して再生リストを作成し、リスト情報保存装置６に保存する（ステップＳ１０６）。
【００７２】
そして、外部楽曲保存装置１３からの再生を停止すると同時に、作成された再生リストの楽曲の再生を開始する（ステップＳ１０７）。
【００７３】
以上説明したように、本実施例１の楽曲再生制御装置Ａでは、楽曲の属性情報が保存されていないラジオ装置１２や外部楽曲保存装置１３やマイク１４を用いて再生される楽曲であっても、再生されている楽曲の分析を行って、この分析結果に近いパラメータを有した内部楽曲保存装置２に保存された楽曲を検索して、再生リストを作成し、この再生リストに従って自動再生を行うことができる。
したがって、再生中の楽曲と、同じアーティストの楽曲が保存されていなかったり、ユーザがジャンル名を把握していなかったりしても、ユーザが、面倒な検索操作を実行することなしに、再生中の楽曲に近い特徴を有した楽曲が自動再生される新規な楽曲再生制御装置Ａを提供できる。
【００７４】
また、実施例１では、楽曲再生制御装置Ａの外部に音源を有した再生を実行中には、一時保存装置に、常時、現在から２０秒遡ってＰＣＭデータが保存されるため、この外部音源の分析を即座に確実に実行することができる。
そして、ユーザは、最も楽曲の特徴が出ていると認識する部分の再生中に、終了ボタンを操作することにより、その部分を含む楽曲データの分析を実行でき、よりユーザの嗜好を反映させることができる。
【００７５】
さらに、本実施例１では、特徴量として、楽曲の振幅データの標準偏差で表された抑揚度と、楽曲の複数の周波数帯域に分割した振幅データの偏重度に相当する周波数比と、の少なくとも一方を求めるようにした。
この抑揚度および偏重度は、いずれも単純な演算で求められる統計値であり、パラメータを絞り込むための再帰的な処理や判定などの処理が不要であり、処理内容が簡易で軽量である。
【００７６】
したがって、楽曲の全体から特徴量を得ることができ、部分的に特徴量を得た場合のように、分析部分による特徴量が異なる不具合を防止できることができ、かつ、処理容量の小さな機器でも処理可能となる。
すなわち、楽曲の音楽的なパラメータは、同一の曲の中でもフレーズによって順次変化するため、楽曲の一部のみのパラメータで分析する場合、その分析箇所により特徴量が異なり、ユーザに対し、分析結果に違和感を与えるおそれがある。
それに対し、本実施例１において用いる特徴量である抑揚度Ｙならびに周波数比Ｗは、楽曲全体において定義されるため、曲全体の特徴量が得られ、ユーザに対して違和感を与えることを抑えることができる。
【００７７】
しかも、抑揚度Ｙならびに周波数比Ｗは、入力した信号情報に対して逐次処理をすることで得られる単調な処理でパラメータを得ることが可能であることから、曲全体に亘って処理をするのに適している。
【００７８】
また、全体制御装置１０の処理能力やメディア駆動装置１の圧縮処理能力が低い場合には、再生および録音と楽曲分析処理とを並列に実行すると、分析処理における処理負荷、もしくは、分析操作における再帰的な処理による負荷変動などが発生した場合、一時的に処理能力がオーバフローして再生音の欠落や録音された音の音飛びなどが発生する可能性がある。
それに対して、本実施例１では、上述のように処理が軽量であるため、特徴量を曲全体から得るようにしても、再生音の欠落や音飛びを防止することができる。
よって、本実施例１のような車載器や、携帯器のように高い処理能力を得ることが難しい機器でも、楽曲の特徴量を得て分析可能である。
【００７９】
さらに、抑揚度、周波数比は、曲調に対応しているため、再生リスト作成処理において、これらに基づいて楽曲の選択を行うことで、主観的な言葉を用いること無しに、ユーザの嗜好に応じた楽曲を選択することが可能となる。
【００８０】
また、分析に用いるパラメータとして、例えば、テンポやビートなどの情報を用いようとした場合、将来的に未知の音楽や新しいジャンルの音楽が生じたときには、特徴量を得ることができないことが生じる可能性がある。この場合、新しいジャンルの音楽は、検索の対象から漏れるおそれがある。
それに対し、本実施例１のように、どのような楽曲でも有している音の振幅と周波数とから得られる特徴量である抑揚度Ｙならびに周波数比Ｗを求めるようにしているため、未知の音楽や新しいジャンルの曲でも、特徴量を得て、画面９１上にプロットすることができ、上記検索対象から漏れる不具合を防止できる。
【００８１】
以上、図面を参照して、本発明の実施の形態の実施例１を詳述してきたが、具体的な構成は、この実施例１に限らず、本発明の要旨を逸脱しない程度の設計的変更は、本発明に含まれる。
【００８２】
すなわち、実施例１では、楽曲再生制御装置として、車載の楽曲再生制御装置に適用した例を示したが、車載のものに限らず、携帯式のものにも適用することができる。
【００８３】
また、実施例１では、内部楽曲保存装置２としてハードディスクドライブを用いた例を示したが、これ以外の記憶媒体を用いることもできる。
【００８４】
また、実施例１では、内部楽曲保存装置２に保存した楽曲の検索画面として、図６に示すように、画面９１に各楽曲の分析結果をプロットした例を示したが、この画面９１に、図２に示すようなジャンルを表示するなどの文字表示を重ねて表示してもよい。この場合、ユーザは、画面９１上の楽曲の配置傾向を文字により認識することができる。
【００８５】
また、実施例１では、特徴量として、抑揚度Ｙおよび周波数比Ｗを用いるものを示したが、この特徴量は、これに限定されず、例えば、特開２００２−２７８５４７号公報に示されるような「激しさ」「のりのよさ」「爽やかさ」「素朴さ」「ソフトさ」などを数値化して、これを特徴量として用いることもできる。
【００８６】
また、実施例１では、抑揚度Ｙと周波数比Ｗの両方を用いて分析し、かつ、検索を行うようにした例を示したが、これに限定されず、楽曲の特徴量としては、抑揚度Ｙと周波数比Ｗとのいずれか一方のみを用いてもよい。
【図面の簡単な説明】
【００８７】
【図１】本発明の実施の形態の実施例１の楽曲再生制御装置Ａの構成を示すブロック図である。
【図２】実施例１の楽曲再生制御装置Ａで求めた、ある楽曲の抑揚度Ｙを示す特性図であり、この図において、（Ｐ）は振幅の時間変化状況を示し、（Ｙ）は抑揚度Ｙを構成するパラメータＹｂの時間変化状況を示している。
【図３】楽曲のジャンルと、抑揚度Ｙとの関係を示す特性図である。
【図４】実施例１のＷａｖｅｌｅｔ変換における周波数帯域とパラメータＧ０（ｎ）〜Ｇ７（ｎ）との関係を示す説明図である。
【図５】楽曲のジャンルと周波数比Ｗとの関係を示す特性図である。
【図６】抑揚度Ｙならびに周波数比Ｗと音楽のジャンルとの関係を示す特性説明図である。
【図７】実施例１の楽曲再生制御装置Ａにおける分析処理の流れを示すフローチャートである。
【図８】実施例１においてディスプレイ装置９の画面９１に楽曲をプロットした状態を示す正面図である。
【図９】実施例１の楽曲再生制御装置Ａにおける再生リスト作成処理の流れを示すフローチャートである。
【符号の説明】
【００８８】
１     メディア駆動装置
１ａ   記録媒体
２     内部楽曲保存装置
３     楽曲検索用情報保存装置
４     再生装置
５     スピーカ装置
６     リスト情報保存装置
７     楽曲分析装置
８     ユーザインタフェース装置
９     ディスプレイ装置
１０   全体制御装置
１１   一時保存装置
１２   ラジオ装置（外部音響機器）
１３   外部楽曲保存装置（外部音響機器）
１４   マイク（外部音響機器）
１５   外部入力端子
Ａ     楽曲再生制御装置
Ｗ     周波数比
Ｙ     抑揚度
【図１】
2008251093.tif 000003
【図２】
2008251093.tif 000004
【図３】
2008251093.tif 000005
【図４】
2008251093.tif 000006
【図５】
2008251093.tif 000007
【図６】
2008251093.tif 000008
【図７】
2008251093.tif 000009
【図８】
2008251093.tif 000010
【図９】
2008251093.tif 000011